(57)【要約】【課題】電源装置の出力電流や出力電圧等の出力状態を容易に把握できるようにする。【解決手段】電源ユニット１〜３と表示ユニット４とを、直流出力側コネクタ１７Ｂ−１、１７Ｂ−２と表示ユニット側コネクタ２３Ａ−１，２３Ａ−２とで結合し、表示ユニット４の直流バスラインと電源ユニット１〜３の直流出力バスラインとをワンタッチで接続できるようにし、表示ユニット４側の直流バスラインには、出力電流検出用抵抗２６を設けるとともに、その直流出力端子２２−１，２２−１に負荷２５を接続し、電源ユニット１〜３の出力電流、出力電圧等の出力状態を、直流バスラインを利用して検出表示する。【選択図】    図２
2004159396.tif 000002
【特許請求の範囲】
【請求項１】
複数の電源ユニットが互いの電源コネクタを介して縦続接続可能である前記電源ユニットの出力状態を表示する表示ユニットであって、
前記電源コネクタに接続可能な表示ユニット側コネクタと、前記表示ユニット側コネクタから入力される直流出力から前記電源ユニットの出力状態を検出する検出手段と、前記検出手段の出力から前記電源ユニットの出力状態を表示する表示手段とを含むことを特徴とする表示ユニット。
【請求項２】
前記表示ユニット側コネクタに接続されて外部に直流出力を出力する直流出力端子と、前記直流出力端子の出力電流を検出するための検出用抵抗とを備え、
前記検出手段は、前記電源ユニットの出力電流および出力電圧を検出し、
前記表示手段は、検出された出力電流および出力電圧を表示する請求項１記載の表示ユニット。
【請求項３】
前記検出手段は、前記電源ユニットの出力電流のピーク値を検出し、
前記表示手段は、検出した出力電流のピーク値を表示する請求項２記載の表示ユニット。
【請求項４】
前記検出手段は、検出した出力電流および出力電圧に基づいて、出力電力を算出し、
前記表示手段は、算出した出力電力を表示する請求項２または３記載の表示ユニット。
【請求項５】
前記検出手段は、当該表示ユニットの稼動積算時間を計測し、前記表示手段は、計測された稼動積算時間を表示する請求項１〜４のいずれかに記載の表示ユニット。
【請求項６】
縦続接続された複数の前記電源ユニットの出力を個別に入力するための入力手段を備え、
前記検出手段は、前記入力手段を介して与えられる電源ユニットの出力に基づいて、出力状態を検出する請求項１〜５のいずれかに記載の表示ユニット。
【請求項７】
当該表示ユニットの前記直流出力端子に接続されるとともに、外部からの直流を入力するための直流入力端子を備え、
前記検出手段は、前記直流出力端子から出力される出力電流および出力電圧を検出する請求項２記載の表示ユニット。
【請求項８】
前記電源ユニットは、外部からの交流入力を直流出力に変換して直流出力バスラインおよび該直流出力バスラインに接続された直流出力端子に出力する電源回路と、前記直流出力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続される請求項１〜７のいずれかに記載の表示ユニット。
【請求項９】
外部機器との間で通信するための通信機能を有し、前記検出手段で検出された前記電源ユニットの出力状態の情報を、前記外部機器に送信する請求項１〜８のいずれかに記載の表示ユニット。
【請求項１０】
前記電源ユニットの出力状態を表示する前記表示手段を、当該表示ユニットの本体から分離可能にするとともに、前記表示手段と前記本体とをケーブルを介して接続可能とした請求項１〜９のいずれかに記載の表示ユニット。
【発明の詳細な説明】
【０００１】
【発明の属する技術分野】
本発明は、表示ユニットに関し、更に詳しくは、電源装置の出力電流や出力電圧といった出力状態を検出して表示する表示ユニットに関する。
【０００２】
【従来の技術】
現在のスイッチング電源等においては、工場の各種機械設備等に多用されており、その種類も各種であり、同一出力電圧であっても電源容量（出力Ｗ）が異なる複数の電源シリーズが使用されている現状となっている。このような電源の使用現状において、メーカー側にとっては、例えば同一出力電圧の電源シリーズとして異なる容量のものを個別に開発製造し、また、シリーズ毎にもそれぞれの容量に対応したものを個別に開発製造して、それらをユーザー側に販売提供している。
【０００３】
しかしながら、同一シリーズであっても容量が異なると、それぞれの容量に対応して回路基板構成やトランスの配置やその他を新たに開発設計する必要があってそれぞれに開発コストがかかる分、電源の販売価格に影響することが余儀なくされる。
【０００４】
また、それらシリーズの電源を購入して使用するユーザーにとっても同一シリーズであっても使用負荷などの各種用途に応じてそのシリーズ内の各種電源を個別に購入する必要があり電源台数も増え、購入コストがかかる、などの不具合があることも指摘されている。
【０００５】
そこで、本件出願人は、同一シリーズ内において或る容量の電源ユニットをモジュール化し、このモジュール化された電源ユニットを任意の台数で増減組み合わせ可能として任意の容量の電源を得られるようにすれば、メーカーにとっては或る容量を有する電源ユニットの開発コストだけですみ、また、ユーザーにとっては用途に応じてその容量を有する電源ユニットを一つ、あるいは、複数、安価に購入して使用できるものとなるという提案をした（特許文献１参照）。
【０００６】
かかる提案に基づく電源装置の一例が、図１０および図１１に示されている。この電源装置は、モジュール化された電源ユニット６１の一つあるいは複数をＤＩＮレール６２に並列して装着支持するようになっており、電源ユニット６１単体に、交流入力端子６３、直流出力端子６４、交流入力を直流出力に変換する電源回路６５、交流入力側のバスラインＬ（ｉ）、直流出力側のバスラインＬ（ｏ）、などが装備されている。そして、複数の電源ユニット６１を並列して接続するとともに、端部の電源ユニット６１を、交流電源に接続することにより、共通の交流入力が交流入力側のバスラインＬ（ｉ）を介して各電源ユニット６１に供給されるとともに、直流出力が直流出力側のバスラインＬ（ｏ）を介して並列に接続されるようになっている。
【０００７】
このようにモジュール化された電源装置によれば、複数の電源ユニット６１を増設することによって、電源容量を任意に拡張することができ、これによって、同一出力電圧で異なる電源容量の電源を個別に開発する必要がなくなるものとなる。
【０００８】
【特許文献１】
特開２００２−５８２４６号公報
【０００９】
【発明が解決しようとする課題】
このように複数台の電源ユニットから構成される電源装置では、設備の立ち上げ時や増設時などにおいては、電源装置の余裕度を確認するために、テスター等を用いて電源装置の出力電流を計測しなければならないが、このような出力電流の計測は容易でなく、電源装置を構成するのに何台の電源ユニットが必要であるかといった設備設計に手数がかかることになる。また、現場における電源装置の電圧チェックもテスター等を用いて行なわねばならず、面倒である。
【００１０】
本発明は、このような点に着目してなされたものであって、電源装置の出力電流や出力電圧等の出力状態を容易に把握できるようにすることを目的とする。
【００１１】
【課題を解決するための手段】
本発明では、上述の目的を達成するために、次のように構成している。
【００１２】
すなわち、本発明の表示ユニットは、複数の電源ユニットが互いの電源コネクタを介して縦続接続可能である前記電源ユニットの出力状態を表示する表示ユニットであって、前記電源コネクタに接続可能な表示ユニット側コネクタと、前記表示ユニット側コネクタから入力される直流出力から前記電源ユニットの出力状態を検出する検出手段と、前記検出手段の出力から前記電源ユニットの出力状態を表示する表示手段とを含むものである。
【００１３】
ここで、前記電源コネクタと前記表示ユニット側コネクタとの結合は、相互に直接結合する構成であってもよく、あるいは、別のコネクタを介在させて結合する構成であってもよい。
【００１４】
また、電源ユニットの出力状態は、単独の電源ユニットの出力状態であってもよく、あるいは、縦続接続された複数の電源ユニット全体としての出力状態であってもよい。
【００１５】
出力状態とは、出力電流、出力電流ピーク値、出力電圧、出力電力、あるいは、出力をしている積算期間である稼動積算時間などをいい、検出手段は、これらの少なくとも一つを検出するものである。
【００１６】
表示手段は、出力電流や出力電圧等の出力状態を、例えば、ＬＥＤ表示器や液晶表示器などで表示するものである。この表示手段による表示は、出力電流や出力電流等を同時に表示するものであってもよいし、切換え表示するものであってもよい。
【００１７】
本発明によると、電源ユニットの複数が、互いの電源コネクタを介して縦続接続可能な前記電源ユニットの電源コネクタに、当該表示ユニットの表示ユニット側コネクタを接続することにより、該表示ユニット側コネクタを介して電源ユニットの直流出力が入力されることになり、この直流出力から電源ユニットの出力状態を検出して表示するので、テスター等を用いることなく、電源ユニット同士の電源コネクタによる接続と同様に、当該表示ユニットをコネクタで接続することにより、省配線で電源ユニットの出力状態を把握できることになる。
【００１８】
本発明の一実施態様においては、前記表示ユニット側コネクタに接続されて外部に直流出力を出力する直流出力端子と、前記直流出力端子の出力電流を検出するための検出用抵抗とを備え、前記検出手段は、前記電源ユニットの出力電流および出力電圧を検出し、前記表示手段は、検出された出力電流および出力電圧を表示するものである。
【００１９】
本発明によると、電源ユニットに当該表示ユニットを接続するとともに、当該表示ユニットの直流出力端子のみに負荷を接続することにより、電源ユニットの出力電圧および出力電流を、当該表示ユニットの直流出力ラインを利用して検出できることになり、別途検出用の外部配線等を行なうことなく、出力電圧および出力電流を検出して表示できることになり、表示される出力電流から必要な電源ユニットの台数を把握したり、出力電圧をチェックするといったことが可能となる。
【００２０】
本発明の他の実施態様においては、前記検出手段は、前記電源ユニットの出力電流のピーク値を検出し、前記表示手段は、検出した出力電流のピーク値を表示するものである。
【００２１】
本発明によると、負荷のピーク電流を容易に把握できるとともに、検出したピーク電流値を保持するようにして、不具合発生時の設備異常の解析に利用することができる。
【００２２】
本発明の好ましい実施態様においては、前記検出手段は、検出した出力電流および出力電圧に基づいて、出力電力を算出し、前記表示手段は、算出した出力電力を表示するものである。
【００２３】
本発明によると、負荷の必要電力を容易に把握することができる。
【００２４】
本発明の他の実施態様においては、前記検出手段は、当該表示ユニットの稼動積算時間を計測し、前記表示手段は、計測された稼動積算時間を表示するものである。
【００２５】
本発明によると、検出手段は、当該表示ユニットの稼動積算時間を計測し、前記表示手段は、計測された稼動積算時間を表示するので、当該表示ユニットを、電源ユニットと同時に稼動させることにより、電源ユニットの稼動積算時間を把握できることになり、これによって、電源ユニットの交換時期を知って適切なメンテナンスを行なえることになる。
【００２６】
本発明の一実施態様においては、縦続接続された複数の前記電源ユニットの出力を個別に入力するための入力手段を備え、前記検出手段は、前記入力手段を介して与えられる電源ユニットの出力に基づいて、出力状態を検出するものである。
【００２７】
本発明によると、縦続接続された複数の電源ユニットに負荷を接続し、入力手段を介して各電源ユニットの出力を個別に取り込むことで、各電源ユニット毎の出力状態を検出して表示できることになる。
【００２８】
本発明の他の実施態様においては、当該表示ユニットの前記直流出力端子に接続されるとともに、外部からの直流を入力するための直流入力端子を備え、前記検出回路は、前記直流出力端子から出力される出力電流および出力電圧を検出するものである。
【００２９】
本発明によると、外部からの直流を入力して負荷に供給するための直流入力端子を備えているので、電源コネクタを介して複数の電源ユニットが縦続接続可能な電源装置以外の通常の電源装置の直流出力端子と当該表示ユニットの直流入力端子とを接続することにより、通常の電源装置の出力電流および出力電圧等の出力状態を検出して表示できることになる。
【００３０】
本発明の好ましい実施態様においては、前記電源ユニットは、外部からの交流入力を直流出力に変換して直流出力バスラインおよび該直流出力バスラインに接続された直流出力端子に出力する電源回路と、前記直流出力バスラインにそれぞれ接続された入力側の前記電源コネクタおよび出力側の前記電源コネクタとを備え、前記電源ユニットの複数が、前記入力側の電源コネクタと他の電源ユニットの前記出力側の電源コネクタとを結合させることによって縦続接続されるものである。
【００３１】
本発明によると、電源ユニットの複数が、入力側の電源コネクタと、他の電源ユニットの出力側の電源コネクタとを結合することによって縦続接続される電源ユニットの出力側の電源コネクタに、当該表示ユニットの表示ユニット側コネクタを接続することにより、電源ユニットの直流出力バスラインが当該表示ユニットに接続されることになり、この接続された直流のバスラインを介して電源ユニットの出力状態を検出して表示するので、電源ユニット同士のコネクタによる接続と同様に、当該表示ユニットをコネクタで接続することにより、省配線で電源ユニットの出力状態を把握できることになる。
【００３２】
本発明の他の実施態様においては、外部機器との間で通信するための通信機能を有し、前記検出手段で検出された前記電源ユニットの出力状態の情報を、前記外部機器に送信するものである。
【００３３】
本発明によると、パーソナルコンピュータ等の外部機器との間で通信を行なって、電源ユニットの出力状態の情報を送信することにより、外部機器でその情報を蓄積したり、解析するといったことが可能となる。
【００３４】
本発明の更に他の実施態様においては、前記電源ユニットの出力状態を表示する前記表示手段を、当該表示ユニットの本体から分離可能にするとともに、前記表示手段と前記本体とをケーブルを介して接続可能としている。
【００３５】
本発明によると、電源ユニットの出力状態を表示する表示手段を本体から分離してケーブルで接続できるので、本体は、電源ユニットと共に、制御盤等の内部に設置する一方、表示手段のみを制御盤等の外の視認できる位置に設置することができる。
【００３６】
【発明の実施の形態】
以下、図面によって本発明の実施の形態について詳細に説明する。
【００３７】
（実施の形態１）
図１は本発明に係る表示ユニット４および電源ユニット１〜３からなる電源装置の正面図であり、図２は、その接続構成を示す図である。
【００３８】
これらの図において、１は第１の電源ユニット、２は第２の電源ユニット、３は第３の電源ユニット、４は表示ユニットである。そして、第１の電源ユニット１と第２の電源ユニット２及び第２の電源ユニット２と第３の電源ユニット３とは、それぞれが内有するバスラインをコネクタ接続されてモジュール電源を構成している。
【００３９】
なお、モジュール電源は上記したような３台の電源ユニット１〜３に限らず、１台の電源ユニットあるいは複数台の電源ユニットを、それぞれが内有するバスラインをコネクタ接続することで構成されるものである。
【００４０】
各電源ユニット１〜３は、正面パネル形状が縦長の長方形状をなした直方体形状のケーシングに所要の電源回路用部品を内蔵した、例えば、１００〜２４０ＶＡＣ入力、２４ＶＤＣ出力、２．５Ａ、６０Ｗ出力用のスイッチング電源である。
【００４１】
そして、第１〜第３の電源ユニット１〜３には、電源回路９と、交流入力端子５−１，５−２と、直流出力端子６−１，６−２と、交流入力バスライン（Ｖｉｎ＋）、（Ｖｉｎ−）と、直流出力バスライン（Ｖｏ＋）（Ｖｏ−）とが設置してある。
【００４２】
交流入力端子５−１，５−２は、正面パネル上部に配設されて１００〜２４０ＶＡＣの外部商用交流を電源回路９に導くものであり、交流入力バスライン（Ｖｉｎ＋）、（Ｖｉｎ−）に接続してある。また。直流出力端子６−１，６−２は、正面パネル下部に配設されて２４ＶＤＣを出力するものであって、プラス側＋と、マイナス側−とで一対の直流出力端子構成になっている。
【００４３】
そして、直流出力端子６−１（プラス側＋）は直流出力バスライン（Ｖｏ＋）に、直流出力端子６−２（マイナス側−）は直流出力バスライン（Ｖｏ−）に接続してある。
【００４４】
電源回路９は、交流入力端子５−１，５−２を介して外部から入力されてくる交流を安定化した２４ＶＤＣの出力電圧に変換して直流出力端子６−１，６−２を介して外部に出力するようになっており、この電源回路９は、一例としてスイッチング電源回路である。
【００４５】
この電源回路９の入力側は交流入力バスライン（Ｖｉｎ＋）、（Ｖｉｎ−）に接続してあり、また、電源回路９の出力側は直流出力バスライン（Ｖｏ＋）（Ｖｏ−）に接続してある。
【００４６】
そして、第１〜第３の電源ユニット１〜３は、その一方の側面パネル側に、入力側の電源コネクタとして交流入力側コネクタ１６Ａ−１、１６Ａ−２と、直流入力側コネクタ１７Ａ−１、１７Ａ−２とを有し、また、他方の側面パネル側に、出力側の電源コネクタとして、交流出力用の交流出力側コネクタ１６Ｂ−１、１６Ｂ−２と、直流出力用の直流出力側コネクタ１７Ｂ−１、１７Ｂ−２とを有しており、交流入力側コネクタ１６Ａ−１、１６Ａ−２と交流出力側コネクタ１６Ｂ−１、１６Ｂ−２とは交流入力バスライン（Ｖｉｎ＋）、（Ｖｉｎ−）を介して互いに接続してあり、直流入力側コネクタ１７Ａ−１、１７Ａ−２と直流出力側コネクタ１７Ｂ−１、１７Ｂ−２とは、直流出力バスライン（Ｖｏ＋）（Ｖｏ−）を介して互いに接続してある。
【００４７】
表示ユニット４は、その正面に、第１〜第３の電源ユニット１〜３からなる電源装置の出力状態を表示するＬＥＤ表示器７の表示セグメントが臨む表示窓８と、表示モードを切換えるために操作される表示モード切換えスイッチ１０と、複数の表示モードのいずれの表示モードが選択されているかを点灯表示する５個のモード表示ＬＥＤ１１〜１５とを備えるとともに、設定値の変更などのためのアップスイッチ１８およびダウンスイッチ１９と、不足電圧表示ＬＥＤ２０と、直流出力時に点灯する動作表示ＬＥＤ２１とを備えている。
【００４８】
この表示ユニット４は、直流入力用の表示ユニット側コネクタである直流入力側コネクタ２３Ａ−１，２３Ａ−２と、直流出力端子２２−１，２２−２とを備えている。
【００４９】
直流出力端子２２−１，２２−２は、プラス側＋とマイナス側−とで一対の直流出力端子構成になっており、負荷２５が接続されている。
【００５０】
そして、直流出力端子２２−１（プラス側＋）は、直流入力側コネクタ２３Ａ−１を介して直流出力バスライン（Ｖｏ＋）に、直流出力端子２２−２（マイナス側−）は直流入力側コネクタ２３Ａ−２を介して直流出力バスライン（Ｖｏ−）に接続してある。
【００５１】
表示ユニット４は、第１〜第３の電源ユニット１〜３からなる電源装置の出力状態を検出する出力状態検出手段２４と、この出力状態検出手段２４で検出された出力状態を表示する表示手段としての上述のＬＥＤ表示器７と、出力電流を検出するための検出用抵抗２６と、上述の表示モード切換えスイッチ１０を備えている。
【００５２】
出力状態検出手段２４は、表示ユニット４を介して出力される電源装置の出力電流および出力電圧を検出する検出回路２７と、表示モード切換えスイッチ１０の操作に応じて、対応する検出値等をＬＥＤ表示器７に出力する演算回路２８とを備えており、この演算回路２８は、検出された出力電流および出力電圧から出力電力を演算したり、ピーク電流値を保持してＬＥＤ表示器７に出力して表示させる。また、演算回路２８は、稼動時間を積算しており、例えば、直流入力が検出された時点で稼動時間の積算を開始する。この演算回路２８は、例えば、ＣＰＵなどで構成される。
【００５３】
第１〜第３の電源ユニット１〜３及び表示ユニット４は、ＤＩＮレール等の支持レール２９に装着されていて、例えば、この順序に並列接続されている。
【００５４】
すなわち、第１の電源ユニット１の右隣に第２、第３の電源ユニット２、３と表示ユニット４とがこの順序に配置してあり、第１の電源ユニット１の交流出力側コネクタ１６Ｂ−１、１６Ｂ−２、直流出力側コネクタ１７Ｂ−１、１７Ｂ−２は、第２の電源ユニット２の交流入力側コネクタ１６Ａ−１、１６Ａ−２、直流入力側コネクタ１７Ａ−１、１７Ａ−２にそれぞれ接続してある。
【００５５】
そして、第３の電源ユニット３の直流出力側コネクタ１７Ｂ−１、１７Ｂ−２は、表示ユニット４の直流入力側コネクタ２３Ａ−１、２３Ａ−２に接続してある。
【００５６】
したがって、第１〜第３の電源ユニット１〜３の個々の交流入力バスライン（Ｖｉｎ＋）、（Ｖｉｎ−）は、この順序に連なって、一本化されており、また第１〜第３の電源ユニット１〜３および表示ユニット４の個々の直流出力バスライン（Ｖｏ＋）、（Ｖｏ−）は、この順序に連なって、一本化されている。
【００５７】
そして、第１の電源ユニット１の交流入力端子５−１、５−２には外部商用交流電源３９に接続してあり、表示ユニット４の直流出力端子２２−１、２２−２には、上述のように負荷２５が接続してある。
【００５８】
次に本発明に係る電源装置の作動を説明する。
【００５９】
第１の電源ユニット１の交流入力端子５−１、５−２から入力された交流は、第２、第３の電源ユニット２，３のそれぞれに供給される結果、各電源ユニット１〜３の直流出力端子６−１、６−２のそれぞれから直流を個別に出力することができ、各電源ユニット１〜３の直流出力端子６−１、６−２に負荷を接続したならば、この負荷に直流を出力することができる。
【００６０】
また、電源回路９により交流から変換された直流は、直流出力バスライン（Ｖｏ＋）、（Ｖｏ−）を通じて表示ユニット４の直流入力側コネクタ２３Ａ−１、２３Ａ−２に入り、表示ユニット４の直流ラインを経て直流出力端子２２−１、２２−２から負荷２５に供給される。
【００６１】
この実施の形態では、第１〜第３の電源ユニット１〜３からなる電源装置からの直流出力は、表示ユニット４を介して負荷２５に供給されており、表示ユニット４の検出回路２７は、表示ユニット４の直流ラインを介して出力電圧を検出する一方、直流ラインに介装された検出用抵抗２６の両端電圧に基づいて出力電流を検出し、さらに、演算回路２８では、それらに基づいて出力電力を演算し、また、出力電流のピーク値を保持する。
【００６２】
演算回路２８は、表示モード切換えスイッチ１０の切換え操作に応じて、例えば、図３（ａ）〜（ｅ）に示されるように、出力電圧表示モード、出力電流表示モード、出力電力表示モード、ピーク電流表示モード、積算時間表示モードにサイクリックに切り換え、ＬＥＤ表示器７に、出力電圧値、出力電流値、出力電力値、ピーク電流値、積算時間を切換え表示させるとともに、対応するモード表示ＬＥＤ１１〜１５を点灯させる。
【００６３】
これによって、第１〜第３の電源ユニット１〜３からなる電源装置の出力電流、そのピーク値、出力電圧、出力電力、積算時間を容易に把握できることになる。
【００６４】
さらに、電源ユニット３と表示ユニット４とは、出力側コネクタ１７Ｂ−１，１７Ｂ−２と表示ユニット側コネクタ２３Ａ−１，２３Ａ−２とで結合して、直流のバスラインをワンタッチで接続できるために、電源ユニット３と表示ユニット４との間の配線が不要になり、その分省工数になる。
【００６５】
（実施の形態２）
図４および図５は、本発明の他の実施の形態に係る表示ユニット４−１および電源ユニット１−１〜３−１からなる電源装置の正面図およびその内部構成を示す図であり、上述の図１および図２に対応する部分には、同一の参照符号を付す。
【００６６】
この実施の形態では、第１〜第３の電源ユニット１−１〜３−１から負荷２５に直流電力を供給した場合にも、各電源ユニット１−１〜３−１の出力電流を検出できるように、次のように構成している。
【００６７】
すなわち、各電源ユニット１−１〜３−１には、それぞれ検出出力用端子３０が設けられる一方、表示ユニット４−１には、入力手段として、複数の入力端子３１〜３４が設けられるとともに、これら複数の入力端子３１〜３４の入力のいずれを取り込むかを切換え選択する入力切換えスイッチ３５が設けられている。そして、各電源ユニット１−１〜３−１の各検出出力用端子３０と表示ユニット４−１の複数の入力端子３１〜３３とが、それぞれ配線接続される。
【００６８】
各電源ユニット１−１〜３−１の検出出力用端子３０は、図５に示されるように、電源回路９の直流出力バスライン（Ｖｏ＋）への出力ラインに介装された出力電流の検出用抵抗３６と、逆流防止ダイオード３７との接続部となっている。
【００６９】
表示ユニット４−１の検出回路２７は、上述の実施の形態と同様に、第１〜第３の電源ユニット１〜３の直流出力バスライン（Ｖｏ＋）、（Ｖｏ−）に接続された表示ユニット４の直流バスラインを介して出力電圧を検出する一方、入力切換えスイッチ３５で選択されたいずれかの電源ユニット１〜３の検出用抵抗３６の両端電圧に基づいて、選択されたいずれかの電源ユニット１〜３の出力電流を検出する。
【００７０】
演算回路２８は、入力切換えスイッチ３５の操作に応じて、選択されたいずれかの電源ユニット１〜３の出力電力を演算したり、検出値等をＬＥＤ表示器７に出力して表示させる。
【００７１】
このようにして、入力切換えスイッチ３５で切換え選択した任意の電源ユニット１〜３の出力電流等の出力状態を検出して表示することができる。
【００７２】
なお、本発明の他の実施の形態として、図６に示されるように、複数の検出用のバスライン３８を設け、入力切換えスイッチ３５によって、いずれかの検出用バスライン３８を選択するようにし、外部配線を省略できるようにしてもよい。
【００７３】
また、上述の実施の形態１と同様に、表示ユニット４−１に検出用抵抗２６を設け、電源ユニット１−１〜３−１全体としての出力電流等を検出するようにしてもよい。
【００７４】
（実施の形態３）
図７は、本発明の他の実施の形態に係る表示ユニット４−２および電源装置４０の正面図であり、上述の図１に対応する部分には、同一の参照符号を付す。
【００７５】
この実施の形態は、直流出力バスラインをコネクタ１７Ａ−１，１７Ａ−２；１７Ｂ−１，１７Ｂ−２を介して接続する上述の電源ユニット１〜３以外の通常の電源装置に対応できるものであり、電源装置４０からの直流入力が与えられる直流入力端子４１−１，４１−２を備えており、この直流入力端子４１−１，４１−２は、上述の図２における表示ユニット側コネクタ２３Ａ−１，２３Ａ−２の出力側の直流ラインにそれぞれ接続されている。
【００７６】
したがって、電源装置４０からの直流出力は、上述の実施の形態１と同様に、表示ユニット４−２の直流入力端子４１−１，４１−２および直流出力端子２２−１，２２−２を介して負荷２５に供給されることになり、上述の実施の形態１と同様にして電源装置４０の出力電流等の出力状態を検出して表示することができる。
【００７７】
（その他の実施の形態）
本発明の他の実施の形態として、図８に示されるように、シリアル通信回路等を設けて通信機能を付加し、通信端子４２を介してＲＳ４８５やＲＳ２３２Ｃのシリアル通信によって、出力状態の情報をパソコン４３等の外部機器に与えるようにしてもよい。
【００７８】
本発明の更に他の実施の形態として、図９に示されるように、ＬＥＤ表示器７等を含む前面の表示部５０を、表示ユニット本体４−５から分離可能に構成するとともに、ケーブル５１を介して接続可能としてもよい。
【００７９】
すなわち、表示部５０の基板部の裏面には、表示ユニット本体４−５の本体基板部５２の第１のコネクタ５３に直接接続するための第１のコネクタ（図示せず）を有するとともに、本体基板部５２のケーブル接続用の第２のコネクタ５４に、ケーブル５１を介して接続するための第２のコネクタ（図示せず）を有しており、表示部５０の基板部および本体基板部５２の第１のコネクタ５３と第２のコネクタ５４とは、互いにそれぞれ接続されている。また、表示部５０の基板部には、上述のＬＥＤ表示器７、各種のスイッチ１０やＬＥＤ１１〜１５および出力状態検出手段２４等が搭載されている。
【００８０】
このように、表示部５０を、表示ユニット本体４−５から分離可能に構成することにより、表示ユニット本体４−５は、電源ユニット１〜３と共に、制御盤内に設置する一方、表示部５０のみを、制御盤外の視認しやすい場所に設置できることになる。
【００８１】
なお、出力状態検出手段２４等は、本体４−５側に設けてもよく、少なくともＬＥＤ表示器７を分離できればよい。
【００８２】
本発明は、上述の各実施の形態の構成を適宜組み合わせてもよい。
【００８３】
【発明の効果】
以上のように本発明によれば、電源ユニットの複数が縦続接続可能な前記電源ユニットの電源コネクタに、当該表示ユニットの表示ユニット側コネクタを接続することにより、該表示ユニット側コネクタを介して電源ユニットの直流出力が入力されることになり、この直流出力から電源ユニットの出力状態を検出して表示するので、省配線で電源ユニットの出力状態を容易に把握できることになる。
【００８４】
これによって、表示される出力電流から必要な電源ユニットの台数を把握したり、出力電圧をチェックするといったことが可能となる。また、ピーク電流値を保持するようにして、不具合発生時の設備異常の解析に利用することもできる。さらに、負荷の必要電力を容易に把握し、また、稼動積算時間から電源ユニットの交換時期を知ってメンテナンスを行なうことができる。
【図面の簡単な説明】
【図１】本発明の一つの実施の形態に係る表示ユニットおよび電源装置の正面図である。
【図２】図１の接続構成を示す図である。
【図３】図１の表示モードの切換えを説明するための図である。
【図４】本発明の他の実施の形態の図１に対応する正面図である。
【図５】図４の内部構成を示す図である。
【図６】本発明の更に他の実施の形態の図５に対応する図である。
【図７】本発明の他の実施の形態の図１に対応する図である。
【図８】本発明の更に他の実施の形態の図１に対応する図である。
【図９】本発明の他の実施の形態の図１に対応する図である。
【図１０】従来例の正面図である。
【図１１】図１０の内部構成を示す図である。
【符号の説明】
１〜３                    電源ユニット
４，４−１，４−２，４−３表示ユニット
５−１，５−２            交流入力端子
６−１，６−２            直流出力端子
７                        ＬＥＤ表示器
１６Ａ−１，１６Ａ−２    交流出力側コネクタ
１７Ａ−１，１７Ａ−２    直流入力側コネクタ
１７Ｂ−１，１７Ｂ−２    直流出力側コネクタ
２２−１，２２−２        直流出力端子
２３Ａ−１，２３Ａ−２    表示ユニット側コネクタ
２４                      出力状態検出手段
２６                      検出用抵抗
２７                      検出回路
２８                      演算回路
【図１】
2004159396.tif 000003
【図２】
2004159396.tif 000004
【図３】
2004159396.tif 000005
【図４】
2004159396.tif 000006
【図５】
2004159396.tif 000007
【図６】
2004159396.tif 000008
【図７】
2004159396.tif 000009
【図８】
2004159396.tif 000010
【図９】
2004159396.tif 000011
【図１０】
2004159396.tif 000012
【図１１】
2004159396.tif 000013